(57)【要約】【課題】簡略な構成で、コネクタに接続された携帯電子機器を背面から支持する支持アダプタを提供する。【解決手段】携帯電子機器を接続するコネクタを有する電子機器に装着される支持アダプタであって、電子機器に装着されたときコネクタの背面側に配置される回動軸と、この回動軸に支持されて回動し、回動軸からコネクタに接続された携帯電子機器方向の径が前記回動によって変化する偏芯体と、を備える。偏芯体の径は、回動軸と携帯電子機器の背面との距離に対応させることが望ましい。【選択図】図４
2013146047.tif 000002
【特許請求の範囲】
【請求項１】
携帯電子機器を接続するコネクタを有する電子機器に装着される支持アダプタであって、
該支持アダプタが前記電子機器に装着されたとき、前記コネクタの背面側に配置される回動軸と、
該回動軸に支持されて回動する偏芯体であり、前記回動軸から前記コネクタに接続された携帯電子機器方向の径が前記回動によって変化する偏芯体と、
を備えた支持アダプタ。
【請求項２】
前記コネクタは、前記電子機器の上面に形成された凹部の底面に設けられており、
該凹部の上端に嵌合し、前記コネクタを含む前記凹部の一部を露出させる開口部を有するフランジと、
該フランジの背面側に立設され、前記回動軸を支持する支柱と、
を備えた請求項１に記載の支持アダプタ。
【請求項３】
前記偏芯体および前記支柱の一方に凸部、他方に凹部がそれぞれ形成され、前記凸部および凹部が係合して、前記偏芯体が特定の回動角度で位置決めされる請求項２に記載の支持アダプタ。
【請求項４】
前記偏芯体の径は、前記回動軸と前記携帯電子機器の背面との距離に対応する請求項１に記載の支持アダプタ。
【請求項５】
前記電子機器と一体である請求項１に記載の支持アダプタ。
【発明の詳細な説明】
【技術分野】
【０００１】
この発明は、親機にセットされたスマートフォンや携帯オーディオプレーヤなどの携帯電子機器を背面から支持する支持アダプタに関する。
【背景技術】
【０００２】
スマートフォンや携帯オーディオプレーヤなどの携帯電子機器が普及しており、これらの携帯電子機器で音楽を楽しむユーザも多い。これらの機器は、バッテリ駆動であり、音楽はイヤホンで再生される。そこで、充電しながらスピーカから音楽を再生できる装置として、携帯電子機器を接続するコネクタを備えた据置装置が実用化されている（非特許文献１参照）。この種の据置装置は、上面にコネクタを備え、携帯電子機器をほぼ立てた状態でコネクタに接続するようになっている。
【先行技術文献】
【特許文献】
【０００３】
【特許文献１】特開２０１０−５６９６８号公報
【発明の概要】
【発明が解決しようとする課題】
【０００４】
上記特許文献１の装置では、据置装置、携帯電子機器のコネクタ相互の係止力のみによって携帯電子機器が立った状態を維持されている。しかし、携帯電子機器の多くは、表面にタッチパネルを備え、ユーザは据置装置に接続された状態でも携帯電子機器を操作する場合がある。この場合、ユーザの操作によって携帯電子機器が背面方向へ押され、係止部であるコネクタに大きな力が掛かるという問題点があった。
【０００５】
このため、コネクタの背面側に携帯電子機器を機器を支持するための支持部を設けることが提案されている（たとえば、特許文献１）。この種の支持部は、厚さの異なる複数種類の携帯電子機器をコネクタに対して正しい方向に支持するため、当接部材の位置を調節できるようになっている。
【０００６】
特許文献１に示した接続機器では、当接部材に雄ネジとし、ネジの回転によって高さを調節するようにしていた。しかし、この構造では、機構が複雑になってコストが高くなるうえ大型化してしまう問題点があった。また、当接部材を交換して高さを調節する方式も考えられるが、交換が面倒であるうえ、予備のパッドを保管しておくのも面倒であった。
【０００７】
この発明は、簡略な構成で、コネクタに接続された厚さの異なる複数種類の携帯電子機器を背面から支持する支持アダプタを提供することを目的とする。
【課題を解決するための手段】
【０００８】
本発明は、携帯電子機器を接続するコネクタを有する電子機器に装着される支持アダプタであって、該支持アダプタが前記電子機器に装着されたとき前記コネクタの背面側に配置される回動軸と、該回動軸に支持されて回動する偏芯体であり、前記回動軸から前記コネクタに接続された携帯電子機器方向の径が前記回動によって変化する偏芯体と、を備えたことを特徴とする。
【０００９】
また、電子機器のコネクタが、前記電子機器の上面に形成された凹部の底面に設けられている場合、本発明の携帯電子機器支持アダプタは、該凹部の上端に嵌合し、前記コネクタを含む前記凹部の一部を露出させる開口部を有するフランジと、該フランジの背面側に立設され、前記回動軸を支持する支柱と、を備えていてもよい。
【００１０】
また、前記偏芯体および前記支柱の一方に凸部、他方に凹部がそれぞれ形成され、前記凸部および凹部が係合して、前記偏芯体が特定の回動角度で位置決めされるようにしてもよい。
【００１１】
前記偏芯体の径を、前記回動軸と前記携帯電子機器の背面との距離に対応させてもよい。
【００１２】
また、支持アダプタを前記電子機器と一体としてもよい。
【発明の効果】
【００１３】
この発明によれば、簡略な構成で、コネクタに接続された厚さの異なる複数種類の携帯電子機器を背面から支持することができ、コネクタに接続された状態で携帯電子機器が操作されても、コネクタを損傷することがなくなる。
【図面の簡単な説明】
【００１４】
【図１】この発明が適用されるスピーカ装置の正面図
【図２】スピーカ装置の携帯電子機器ドックの斜視図
【図３】この発明の実施形態であるドックアダプタの構造を説明する図
【図４】ドックアダプタが装着された携帯電子機器ドックの斜視図
【図５】ドックアダプタが装着された携帯電子機器ドックに携帯電子機器が接続された状態を示す斜視図
【図６】ドックアダプタが装着された携帯電子機器ドックに携帯電子機器が接続された状態を示す側断面図
【図７】アジャストローラの他の実施形態を示す図
【発明を実施するための形態】
【００１５】
図面を参照して、この発明の実施形態であるスピーカ装置、および、ドックアダプタについて説明する。
【００１６】
図１は、この発明が適用されるスピーカ装置１に携帯電子機器２が接続された状態を示す正面図である。図２は、スピーカ装置１の携帯電子機器ドック１１の斜視図である。
【００１７】
スピーカ装置１は、スマートフォン（多機能携帯電話）や携帯オーディオプレーヤなどの携帯電子機器２をコネクタ１３（図２参照）に接続し、携帯電子機器２が再生した音楽等のオーディオ信号を増幅してスピーカから出力するものである。
【００１８】
図１において、スピーカ装置１は、略直方体形状をなしており、天板１０の略中央部に携帯電子機器ドック１１を備えている。携帯電子機器ドック１１は、図２に示すように、携帯電子機器２の下端部が収容される凹部１２、および、凹部１２の底面中央部に設けられた上述のコネクタ１３を有している。コネクタ１３は左右を長手方向とする薄板状の凸形のコネクタであり、携帯電子機器２の底面にこれに嵌合する凹形のコネクタが設けられている。コネクタ１３は、携帯電子機器２からオーディオ信号を入力するとともに、携帯電子機器２に対して電源を供給する。スピーカ装置１の前面パネルには左右のスピーカ１５、ボリウムダイヤル１６、ディスプレイ１７が設けられている。携帯電子機器２から入力されたオーディオ信号は、内蔵のアンプで増幅されたのちスピーカ１５から出力される。その音量はボリウムダイヤル１６を操作することでユーザが調整することができる。また、ボリウム値や再生中の楽曲の曲名等がディスプレイ１７に表示される。
【００１９】
図２に示すように、携帯電子機器ドック１１の凹部１２は、左右を長手方向とする角丸長方形状であり、スピーカ装置１の背面側が深く、前面側が浅くなっており、コネクタ１３はその底面に略垂直に立設されている。このため、コネクタ１３に接続された携帯電子機器２は、コネクタ同士の嵌合によりやや後方に若干傾いた状態で保持される。凹部１２の周縁部、すなわち天板１０との境界部には、凹部１２の輪郭線状に溝１２Ａが形成されている。また、凹部１２の前壁の溝１２Ａの直下には２本の凹条または長穴である係止部１４が形成されている。この係止部１４は、後述のドックアダプタ３の凸舌３５を係止する。
【００２０】
コネクタ１３には、複数種類の機能構成および厚さを有する携帯電子機器２が接続される。接続される携帯電子機器２としては、たとえば、ハードディスクを内蔵した携帯オーディオプレーヤ、フラッシュメモリを内蔵した携帯オーディオプレーヤ、タッチパネル式のスマートフォンなどがある。凹部１２は、コネクタ１３に接続可能な携帯電子機器のうち、最もサイズの大きいものを収容可能な大きさに形成されている。ただし、一般的な携帯電子機器２は、この想定されている最大のサイズよりも十分に小さい、少なくとも厚みが小さいものである。
【００２１】
この携帯電子機器ドック１１に被せるように、以下に説明するドックアダプタ３が装着される。ドックアダプタ３は、コネクタ１３に接続された携帯電子機器２を背面から支持するものである。
【００２２】
図３は、ドックアダプタ３の構造を説明する図である。ドックアダプタ３は、携帯電子機器ドック１１の凹部１２に嵌合する本体３０、および、携帯電子機器２に当接するアジャストローラ４０を有している。なお、図３（Ａ）はドックアダプタ３の全体構造を示す斜視図であり、図３（Ｂ）は本体３０の背面斜視図、図３（Ｃ）はアジャストローラ４０の側面図である。なお、各図のスケール（縮尺／拡大率）は同一でない。
【００２３】
本体は、フランジ（縁部）３１およびスリーブ（筒部）３２を有している。フランジ３１は携帯電子機器ドック１１の凹部１２と同じ輪郭形状をなしており、凹部１２周縁の溝１２Ａに嵌合する。フランジ３１中央の開口にはスリーブ３２が接続されている。スリーブ３２は、フランジ３１から下向きに形成された短い筒状をなしている。スリーブ３２は、下端で開口し、開口部３２Ａを有している。開口部３２Ａは、ドックアダプタ３が携帯電子機器ドック１１に装着されたとき、コネクタ１３を嵌挿してスリーブ３２の内部に突出させる。また、スリーブ３２の前面側の外側には、前方に突出する２つの凸舌３５が形成されている。この凸舌３５は、ドックアダプタ３が携帯電子機器ドック１１に装着されたとき、その先端部が上述の係止部１４に係止されて上下方向の移動が規制され、ドックアダプタ３が後方に転倒するのを防止する。
【００２４】
スリーブ３２の形状は、凹部１２よりも小さい左右を長手方向とする角丸長方形状であり、このスピーカ装置１で主に使用される携帯電子機器２（たとえばｉＰｈｏｎｅ４（登録商標））を遊挿可能な大きさである。
【００２５】
フランジ３１は、後方側が幅広に形成されており、この後方側に左右２つの支柱３３が立設されている。２つの支柱３３の間に左右に水平にシャフト３４が架設されている。このシャフト３４に、図３（Ｃ）に示すアジャストローラ４０が回動自在に嵌め込まれる。また、左右の支柱３３の内側のシャフト３４の付け根下側付近に凸条３３Ａが形成されている。この凸条３３Ａは、後述のアジャストローラ４０側面の凹条４１と係合することにより、アジャストローラ４０の位置決めを行う。
【００２６】
図３（Ｃ）に示すように、アジャストローラ４０は偏芯ローラである。回動中心である嵌通穴４０Ａは、円筒形状であるアジャストローラ４０の真の中心４３Ａから偏った位置に設けられている。嵌通穴４０Ａには、シャフト３４が嵌通する。シャフト３４をローラ外から嵌通穴４０Ａまで通過させるため、嵌通穴４０Ａからローラの外周面に向けてくさび状の切欠き４０Ｂが形成されている。アジャストローラ４０は、ポリアセタール（ＰＯＭ）樹脂などの弾性樹脂で構成され、アジャストローラ４０を変形させて切欠き４０Ｂを広げることにより、シャフト３４を嵌通穴４０Ａまで通して、アジャストローラ４０を本体３０に取り付けることができる。
【００２７】
ドックアダプタ３が装着された携帯電子機器ドック１１のコネクタ１３に携帯電子機器２が接続されると、アジャストローラ４０は、携帯電子機器２に対して図６（Ｂ）に示すような位置関係になる。この状態で、アジャストローラ４０を回動させて、シャフト３４から携帯電子機器２へ向かう方向の径（距離）を調整することにより、図６（Ａ）に示すように、アジャストローラ４０が携帯電子機器の背面に当接し、携帯電子機器２を背面から支持することが可能になる。
【００２８】
また、上述したように、アジャストローラ４０の側面には、位置決め用の凹条４１（４１Ａ，４１Ｂ）が形成されている。この凹条４１は、上述の支柱３３の内側に形成されている凸条３３Ａと係合する。凹条４１Ａ，４１Ｂは、それぞれ、携帯電子機器ドック１１にセットされる主要な携帯電子機器２（たとえばｉＰｈｏｎｅ４（登録商標）など）の厚みに合わせて形成されている。すなわち、上述の主要な携帯電子機器２がコネクタ１３に接続されたとき、凹条４１Ａ，４１Ｂを凸条３３Ａに係合させることにより、アジャストローラ４０がちょうどこの携帯電子機器２の背面に当接するようになる。
【００２９】
図４は、携帯電子機器ドック１１にドックアダプタ３を装着した状態を示す斜視図である。また、図５は、ドックアダプタ３が装着された携帯電子機器ドック１１に携帯電子機器２が接続された状態を示す斜視図である。
【００３０】
ドックアダプタ３は、アジャストローラ４０がスピーカ装置１の背面側になるように、携帯電子機器ドックに装着される。装置時は、フランジ３１が溝１２Ａに嵌合し、ドックアダプタ３がほぼ遊びなく位置決めされる。ドックアダプタ３が携帯電子機器ドック１１に装着されると、スリーブ３２の開口部３２Ａの略中央部にコネクタ１３が位置することになる。開口部３２Ａの大きさは携帯電子機器２の底面よりも十分に大きいため、携帯電子機器２は、ドックアダプタ３が無いときと同様にスムーズにコネクタ１３に接続される。図４に示した携帯電子機器ドック１１のコネクタ１３に、図５に示すような態様で携帯電子機器２が接続される。図６は、携帯電子機器２がコネクタ１３に接続された状態を示す側断面面である。
【００３１】
図６（Ａ）は、アジャストローラ４０が携帯電子機器２の背面に当接している状態を示している。なお、このときドックアダプタ３の凸舌３５の先端が、凹条である係止部１４に入り込んで係止されており、ドックアダプタ３に後ろ向きの力が掛かっても、ドックアダプタ３が後ろ向きに転倒しないようになっている。
【００３２】
ドックアダプタ３が装着された携帯電子機器ドック１１のコネクタ１３に携帯電子機器２が接続されたとき、アジャストローラ４０が携帯電子機器２に対してちょうど当接するとは限らない。たとえば、図６（Ｂ）に示すような位置関係にな場合がある。この場合、アジャストローラ４０を矢印に示す方向に回動させて、携帯電子機器２方向への径を調整することにより、図６（Ａ）に示すように、アジャストローラ４０が携帯電子機器の背面に当接し、携帯電子機器２を背面から支持することが可能になる。
【００３３】
スマートフォンなどの携帯電子機器２は、表面がタッチパネルになっているものが多いが、図６（Ａ）に示すように、アジャストローラ４０が当接して背面から支持されている状態であれば、タッチパネルが操作されても、コネクタ１３に強い力が掛からず、コネクタ１３や携帯電子機器２が損傷することがなくなる。なお、上述したように、図６（Ａ）において、ドックアダプタ３の凸舌３５の先端が、携帯電子聴きドック１１の係止部１４に係止されているため、ユーザの操作によってドックアダプタ３に後ろ向きの力が掛かっても、ドックアダプタ３が後ろ向きに転倒することがない。
【００３４】
以上説明した実施形態では、アジャストローラ４０を偏芯ローラ形状としたが、ローラ状でなくてもよい。たとえば、図７（Ａ）、（Ｂ）に示すように、断面が渦巻き状や多角形状のものであってもよい。いずれにしても、シャフト３４周りに回動させることによって、携帯電子機器２方向の径が変化する形状であればよい。
【００３５】
図７（Ｂ）のように、アジャストローラ４０を断面多角形とした場合、携帯電子機器２の背面をアジャストローラ４０の各面で広く支える構成となるため、支持状態の安定性が増す。またさらに、各面と面との稜線部分の径が面の部分の径よりも長いことにより、１つの面から次の面へ移動（回転）する場合にクリック感を持たせることができる。なお、図７（Ｂ）の形状にした場合、各回動中心から各側面までの径を主要な携帯電子機器２の厚み（シャフト３４から携帯電子機器２の背面までの距離）に合わせたものにすれば、凸条３３Ａ，凹条４１は不要になる。
【００３６】
また、上記実施形態では、アジャストローラ４０をポリアセタール（ＰＯＭ）樹脂などの弾性体で形成したが、剛体で形成してもよい。その場合には、本体３０の組立時にアジャストローラ４０をシャフト３４に差し込んでしまうか、アジャストローラ４０を２分割で形成してシャフト３４を挟み込んだ状態で合体させる等の組立手順を採ればよい。またこの場合、側面の凹条４１に対応する部分のみバネなどの弾性部品を組み込んで凸条３３Ａと嵌合するようにすればよい。
【００３７】
また、この実施形態では、支柱３３側に凸条３３Ａを設け、アジャストローラ４０側に凹条４１を設けているが、凹凸の組み合わせは逆であってもよい。また、その形状は峯状および谷状でなくてもよく、たとえば点状の突起と凹部であってもよい。
【００３８】
また、以上の説明では、凹部１２とコネクタ１３を有する携帯電子機器ドック１１にドックアダプタ３を装着する形態について説明したが、スピーカ装置１の携帯電子機器ドック１１に最初からアジャストローラ４０を設けておいてもよい。言い換えると、ドックアダプタ３がスピーカ装置１の携帯電子機器ドック１１に一対で設けられてもよい。すなわち、スピーカ装置１の携帯電子機器ドック１１を、例えば図４に示すような形態にしてもよい。
【符号の説明】
【００３９】
１  スピーカ装置（本発明の電子機器）
２  携帯電子機器
３  ドックアダプタ（本発明の支持アダプタ）
１１  携帯電子機器ドック
１２  （携帯電子機器ドックの）凹部
１２Ａ  （凹部周縁の）溝
１３  コネクタ
１４  係止部
３０  （ドックアダプタの）本体
３１  フランジ
３２  スリーブ
３３  支柱
３３Ａ  凸条
３４  シャフト（本発明の回動軸）
３５  凸舌
４０  アジャストローラ
４１  凹条
【図１】
2013146047.tif 000003
【図２】
2013146047.tif 000004
【図３】
2013146047.tif 000005
【図４】
2013146047.tif 000006
【図５】
2013146047.tif 000007
【図６】
2013146047.tif 000008
【図７】
2013146047.tif 000009